(57)【要約】【課題】電子メールを作成する際のユーザの負担を減らす。【解決手段】  複数のフィールドから構成される電子メールを送受信可能な通信端末装置は、過去に送受信したあるいは草稿中の複数の既存電子メールを記憶するメール記憶手段と、新規の電子メールを作成するに際して、メール記憶手段に記憶された電子メールの内で、作成対象の電子メールに対して入力したい内容を含む電子メールを任意に選択するメール選択手段と、メール選択手段により選択された電子メールのフィールドを選択する第１のフィールド選択手段と、作成対象の電子メールのフィールドを選択する第２のフィールド選択手段と、第１のフィールド選択手段により選択された第１のフィールドの内容を第２のフィールド選択手段により選択された第２のフィールドに入力する入力手段と、を備える。【選択図】図６
2010009354.tif 000002
【特許請求の範囲】
【請求項１】
複数のフィールドから構成される電子メールを送受信可能な通信端末装置であって、
過去に送受信したあるいは草稿中の複数の既存電子メールを記憶するメール記憶手段と、
新規の電子メールを作成するに際して、前記メール記憶手段に記憶された前記既存電子メールの内で、当該作成対象の電子メールに対して入力したい内容を含む電子メールを任意に選択するメール選択手段と、
前記メール選択手段により選択された電子メールのフィールドを選択する第１のフィールド選択手段と、
前記作成対象の電子メールのフィールドを選択する第２のフィールド選択手段と、
前記第１のフィールド選択手段により選択された第１のフィールドの内容を前記第２のフィールド選択手段により選択された第２のフィールドに入力する入力手段と、
を備えたことを特徴とする通信端末装置。
【請求項２】
前記第１のフィールド選択手段は、複数のフィールドを一括して選択する一括選択手段を含む、
ことを特徴とする請求項１に記載の通信端末装置。
【請求項３】
前記第２のフィールド選択手段は、前記第１のフィールドに対応して、前記第２のフィールドを選択する対応選択手段、を含む、または、
前記第１のフィールド選択手段は、前記第２のフィールドに対応して、前記第１のフィールドを選択する対応選択手段、を含む、
こと特徴とする請求項１に記載の通信端末装置。
【請求項４】
前記入力手段は、前記第２のフィールドに既に内容が入力されている場合、その旨をユーザに報知する報知手段を更に備える、
ことを特徴とする請求項１に記載の通信端末装置。
【請求項５】
前記入力手段は、前記第１のフィールドの内容を前記第２のフィールドに上書きする上書き手段、または、
前記第１のフィールドの内容を前記第２のフィールドに追加または挿入するマージ手段を含む、
ことを特徴とする請求項１に記載の通信端末装置。
【請求項６】
前記第１のフィールドは、宛先、同報先、非通知同報先または送信元の少なくともいずれか1つを含むアドレスフィールド、題名フィールド、本文フィールド、または、添付ファイルフィールドである、
ことを特徴とする請求項１に記載の通信端末装置。
【請求項７】
前記第２のフィールド選択手段により選択されたフィールドが送信先フィールドとなる場合、その旨をユーザに報知し、前記第２のフィールドをユーザに再選択させる再選択手段を更に備える、
こと特徴とする請求項１に記載の通信端末装置。
【請求項８】
前記第１のフィールドがアドレスフィールドである場合、
前記第１のフィールドに含まれるメールアドレスがアドレス帳に登録されているか否かを検索するアドレス検索手段を更に備える、
ことを特徴とする請求項１に記載の通信端末装置。
【請求項９】
前記アドレス検索手段により、前記第１のフィールドに含まれるメールアドレスが前記アドレス帳に登録されていると判定された場合、前記メールアドレスと前記アドレス帳に登録されている内容を対比してユーザに教示する登録情報教示手段を更に備える、
ことを特徴とする請求項８に記載の通信端末装置。
【請求項１０】
前記アドレス検索手段により、前記第１のフィールドに含まれるメールアドレスが前記アドレス帳に登録されていないと判定された場合、前記メールアドレスを前記アドレス帳に登録可能にするアドレス登録手段を更に備える、
ことを特徴とする請求項８に記載の通信端末装置。
【請求項１１】
前記アドレス登録手段は、
前記メールアドレスをグループアドレスとしても前記アドレス帳に登録可能とするグループアドレス登録手段を含む、
ことを特徴とする請求項１０に記載の通信端末装置。
【請求項１２】
前記入力手段を利用したことを登録する利用履歴を記録する利用履歴記録手段と、
当該利用履歴記録手段が記録した前記利用履歴に基づいて、前記作成対象の電子メールに対して入力したい内容を含む電子メールを選択する履歴利用呼び出し手段と、を更に備える、
ことを特徴とする請求項１に記載の通信端末装置。
【請求項１３】
複数のフィールドから構成される電子メールを送受信可能な通信端末装置のコンピュータに、
過去に送受信したあるいは草稿中の複数の既存電子メールを記憶するメール記憶機能と、
新規の電子メールを作成するに際して、前記メール記憶手段に記憶された前記既存電子メールの内で、当該作成対象の電子メールに対して入力したい内容を含む電子メールを任意に選択するメール選択機能と、
前記メール選択手段により選択された電子メールのフィールドを選択する第１のフィールド選択機能と、
前記作成対象の電子メールのフィールドを選択する第２のフィールド選択機能と、
前記第１のフィールド選択手段により選択された第１のフィールドの内容を前記第２のフィールド選択手段により選択された第２のフィールドに入力する入力機能と、
を実現させるためのプログラム。
【発明の詳細な説明】
【技術分野】
【０００１】
本発明は、通信端末装置及びそのプログラムに関する。
【背景技術】
【０００２】
電子メールを作成し送信する場合、ユーザは、基本的には、本文の入力とともに、送信アドレスの入力、件名の入力というように、必要な内容をキーボード等の入力装置から入力しなければならない。この入力手間を省くために、アドレス帳を利用する技術や、定型書式（テンプレート）を利用できるようにする技術（例えば、特許文献１）が知られている。
【特許文献１】特開平０６―２１６９３６号公報
【発明の開示】
【発明が解決しようとする課題】
【０００３】
しかし、アドレス帳からの入力は入力時には簡便であるが、登録時の動作にある程度の手間がかかり、複数人を選択する場合は、アドレス帳からの入力であっても、複数人分の手間がかかる。
【０００４】
また、アドレス帳に登録されていないアドレスは、一文字ずつタイプ入力する方法もあるが、通常は、既存の送信済メール、受信メール等を探し、見つかった場合、その所望の範囲（箇所）をマウスで選択、コピーし、新規メールの所望の欄にペーストするといった方法がとられることが多い。
この場合は、複数人をまとめて作業することもできる。
【０００５】
しかし、この一連の手動操作を行うにあたって、ヘッダの項目名等と区別して特定の範囲のみをマウスの左ボタン等で正確に選択する操作には、注意力が要求され、選択ミス（コピー範囲指定ミス）が起こる場合がある。
このように、ユーザにとって余分な作業が発生し、ストレスとなっていた。
電子メールのヘッダの項目や、本文、添付ファイル等を本願では、フィールドと呼ぶことにする。
【０００６】
本発明は上記のような状況を鑑みてなされたもので、既存の電子メールの内容を利用して、電子メールを作成し、ユーザの負担を減らすことを目的とする。
【課題を解決するための手段】
【０００７】
上記課題を解決するため、請求項１の発明は、
複数のフィールドから構成される電子メールを送受信可能な通信端末装置であって、
過去に送受信したあるいは草稿中の複数の既存電子メールを記憶するメール記憶手段と、
新規の電子メールを作成するに際して、前記メール記憶手段に記憶された前記既存電子メールの内で、当該作成対象の電子メールに対して入力したい内容を含む電子メールを任意に選択するメール選択手段と、
前記メール選択手段により選択された電子メールのフィールドを選択する第１のフィールド選択手段と、
前記作成対象の電子メールのフィールドを選択する第２のフィールド選択手段と、
前記第１のフィールド選択手段により選択された第１のフィールドの内容を前記第２のフィールド選択手段により選択された第２のフィールドに入力する入力手段と、
を備えたことを特徴とする。
【０００８】
請求項２の発明は、請求項１に記載の通信端末装置において、
前記第１のフィールド選択手段は、複数のフィールドを一括して選択する一括選択手段を含む、
ことを特徴とする。
【０００９】
請求項３の発明は、請求項１に記載の通信端末装置において、
前記第２のフィールド選択手段は、前記第１のフィールドに対応して、前記第２のフィールドを選択する対応選択手段、を含む、または、
前記第１のフィールド選択手段は、前記第２のフィールドに対応して、前記第１のフィールドを選択する対応選択手段、を含む、
こと特徴とすること特徴とする
【００１０】
請求項４の発明は、請求項１に記載の通信端末装置において、
前記入力手段は、前記第２のフィールドに既に内容が入力されている場合、その旨をユーザに報知する報知手段を更に備える、
ことを特徴とする。
【００１１】
請求項５の発明は、請求項１に記載の通信端末装置において、
前記入力手段は、前記第１のフィールドの内容を前記第２のフィールドに上書きする上書き手段、または、
前記第１のフィールドの内容を前記第２のフィールドに追加または挿入するマージ手段を含む、
ことを特徴とする。
【００１２】
請求項６の発明は、請求項１に記載の通信端末装置において、
前記第１のフィールドは、宛先、同報先、非通知同報先または送信元の少なくともいずれか1つを含むアドレスフィールド、題名フィールド、本文フィールド、または、添付ファイルフィールドである、
ことを特徴とする。
【００１３】
請求項７の発明は、請求項１に記載の通信端末装置において、
前記第２のフィールド選択手段により選択されたフィールドが送信先フィールドとなる場合、その旨をユーザに報知し、前記第２のフィールドをユーザに再選択させる再選択手段を更に備える、
こと特徴とする
【００１４】
請求項８の発明は、請求項１に記載の通信端末装置において、
前記第１のフィールドがアドレスフィールドである場合、
前記第１のフィールドに含まれるメールアドレスがアドレス帳に登録されているか否かを検索するアドレス検索手段を更に備える、
ことを特徴とする。
【００１５】
請求項９の発明は、請求項８に記載の通信端末装置において、
前記アドレス検索手段により、前記第１のフィールドに含まれるメールアドレスが前記アドレス帳に登録されていると判定された場合、前記メールアドレスと前記アドレス帳に登録されている内容を対比してユーザに教示する登録情報教示手段を更に備える、
ことを特徴とする。
【００１６】
請求項１０の発明は、請求項８に記載の通信端末装置において、
前記アドレス検索手段により、前記第１のフィールドに含まれるメールアドレスが前記アドレス帳に登録されていないと判定された場合、前記メールアドレスを前記アドレス帳に登録可能にするアドレス登録手段を更に備える、
ことを特徴とする。
【００１７】
請求項１１の発明は、請求項８に記載の通信端末装置において、
前記アドレス登録手段は、
前記メールアドレスをグループアドレスとしても前記アドレス帳に登録可能とするグループアドレス登録手段を含む、
ことを特徴とする。
【００１８】
請求項１２の発明は、請求項１に記載の通信端末装置において、
前記入力手段を利用したことを登録する利用履歴を記録する利用履歴記録手段と、
当該利用履歴記録手段が記録した前記利用履歴に基づいて、前記作成対象の電子メールに対して入力したい内容を含む電子メールを選択する履歴利用呼び出し手段と、を更に備える、
ことを特徴とする。
【００１９】
請求項１３の発明は、複数のフィールドから構成される電子メールを送受信可能な通信端末装置のコンピュータに、
過去に送受信したあるいは草稿中の複数の既存電子メールを記憶するメール記憶機能と、
新規の電子メールを作成するに際して、前記メール記憶手段に記憶された前記既存電子メールの内で、作成対象の電子メールに対して入力したい内容を含む電子メールを任意に選択するメール選択機能と、
前記メール選択手段により選択された電子メールのフィールドを選択する第１のフィールド選択機能と、
前記作成対象の電子メールのフィールドを選択する第２のフィールド選択機能と、
前記第１のフィールド選択手段により選択された第１のフィールドの内容を前記第２のフィールド選択手段により選択された第２のフィールドに入力する入力機能と、
を実現させる、
ことを特徴とする。
【発明の効果】
【００２０】
本発明によれば、電子メールを作成する際のユーザの負担を減らすことができる。
【発明を実施するための最良の形態】
【００２１】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００２２】
本発明の通信端末装置は、例えば、固定電話、携帯電話、または、通信機能を有するＰＣ（パーソナルコンピュータ）、ＰＤＡ（携帯情報端末）など、電子メールを送受信可能な装置全般に適用可能であるが、ここでは、携帯電話を例に説明する。
【００２３】
図１は、本発明の通信端末装置（携帯電話）の主な構成を示すブロック図である。
通信端末装置１は、中央制御部１１、ＲＯＭ（ROM : Read Only Memory）、ＲＡＭ（RAM : Random
Access Memory）、フラッシュメモリ等によって構成される記憶部１２、無線通信部１３、音声信号処理部１４、マイクロフォン１４１、スピーカ１４２、表示部１５、操作部１６、及びＲＴＣ１７（RTC : Real Time Clock）等を備える。
【００２４】
中央制御部１１は、ＣＰＵ（Central Processing Unit)やＭＰＵ（Micro
Processing Unit）等を用いて構成されている。中央制御部１１は、記憶部１２に記憶されるプログラムやデータを実行／処理して通信端末装置１の統括的な制御を行うとともに、音声通話機能、電子メール機能、インターネット接続機能等の通信端末装置１の様々な機能を実現する。
【００２５】
記憶部１２の記憶領域には、メーラー（電子メール送信文書編集アプリケーションプログラムを含むソフトウエア）がインターネット等の通信網を通じて送受信するメール文書（メール文書データ）を記憶するメールボックス１２１、宛先アドレスを登録しておくアドレス帳１２２、その他用途のメモリ１２３等の記憶領域が設けられている。
【００２６】
そして、メールボックス１２１には、受信フォルダ（受信箱）１２１１、送信フォルダ（送信箱）１２１２、草稿フォルダ（草稿）１２１３等のフォルダに分けられてメール文書が格納されている。
本願では、メールボックス１２１に記憶されている電子メール（過去に送受信したあるいは草稿中の電子メール）を既存メール（既存の電子メール）と呼ぶことにする。
【００２７】
無線通信部１３は、音声通話、電子メールの送受信、インターネット上の装置へのアクセス等の通信端末装置１と他の装置との間の情報伝達に際し、移動体通信網の基地局との間で無線通信を行う。
【００２８】
音声信号処理部１４は、マイクロフォン１４１から入力されるアナログの音声信号に基づくデジタルの音声信号を出力する。また音声信号処理部１４は、通話音声、着信音、操作音等の各種音声信号をアナログの音声信号に変換してスピーカ１４２に出力する。
【００２９】
表示部１５は、情報を視覚的に表示する装置であり、液晶パネル、有機ＥＬパネルなどである。表示部１５は、中央制御部１１から入力される映像信号に応じて情報を表示する。
【００３０】
操作部１６は、ユーザインタフェース（タッチパネル、操作ボタン、操作ダイヤル、キーボード、マウス等）に対して行われたユーザの操作入力を電気信号に変換して中央制御部１１に伝える。
【００３１】
ＲＴＣ１７は、日付や時刻等の現在の時刻情報を出力するクロックである。
【００３２】
次に、図２を用いて、上記の通信端末装置の全体の動作を説明する。
図２は、通信端末装置（携帯電話）の全体の処理フローを示す図である。
【００３３】
通信端末装置１はステップＳ１０１において、電源ＯＮ操作がされたか否かを監視している。そして、電源ＯＮ動作がされたことを検出すると（Ｓ１０１：ＹＥＳ）、主電源をＯＮして（ステップＳ１０２）、無線通信網と接続するための位置登録等の待受処理を開始する（ステップＳ１０３）。
【００３４】
待受処理中、音声通話の着信があるか否かを監視する（ステップＳ１０４）。
そして、音声通話の着信があったことを検出すると（Ｓ１０４：ＹＥＳ）、ユーザがオフフックしたか否かを監視し（ステップＳ１０５）、オフフックされたことを検出した場合（Ｓ１０５：ＹＥＳ）、ユーザによる通話が行われる（ステップＳ１０７）。そして、通話が終了したか（オフフックされたか）否かを監視し（ステップＳ１０８）、通話終了を検出すると、ステップＳ１０３に戻る。
【００３５】
一方、通信端末装置１は、音声通話の着信がない場合（Ｓ１０４：ＮＯ）、メール着信があるか否かを監視する（ステップＳ１１１）。
メール着信を検出した場合（Ｓ１１１：ＹＥＳ）、通常のメール受信処理を行う（ステップＳ１１２）。
【００３６】
一方、通信端末装置１は、メール着信がない場合（Ｓ１１１：ＮＯ）、操作部１６に対してユーザ操作があるか否かを監視する（ステップＳ１２１）。
ユーザ操作を検出した場合（Ｓ１１１：ＹＥＳ）、その操作が受信処理以外のメーラー作業指示の操作か否かを判定する（ステップＳ１２２）。
【００３７】
操作がメーラー作業指示の操作であると判定すると（Ｓ１１２：ＹＥＳ）、メーラー作業処理に進む（ステップＳ１２３）。Ｓ１２３の詳細は後述する。
【００３８】
一方、ユーザ操作がメーラー作業指示の操作でないと判定すると（Ｓ１１２：ＮＯ）、電源ＯＦＦ操作である否かを判定する。（ステップＳ１３１）。
操作が電源ＯＦＦ操作であると判定すると（Ｓ１３１：ＹＥＳ）、電源ＯＦＦ処理が行われ（ステップＳ１３２）、動作は終了する。
【００３９】
一方、ユーザ操作が電源ＯＦＦ操作でない判定されると（Ｓ１３１：ＮＯ）、ユーザの操作したその他の処理に対応する処理が行われる（ステップＳ１４１）。そして、その後ステップＳ１０３に戻る。
【００４０】
次に、図３、図４及び図５を用いて、上記の通信端末装置のメーラー作業処理の詳細を説明する。
図３は、図２のステップＳ１２３（メーラー作業処理）の詳細の前半フローを表す図である。
図４は、図２のステップＳ１２３（メーラー作業処理）の詳細の後半フローを表す図である。
図５は、図３、図４のフローで使われるコンテキストメニューの表示例を示す図で、（ａ）は、コンテキストメニュー１の表示例を示す図、（ｂ）は、コンテキストメニュー２の表示例を示す図である。
【００４１】
以下に示す処理は基本的に中央制御部１１が予め記憶部１２のフラッシュメモリ等のプログラム格納メモリ（その他用途メモリ１２３）に記憶されたプログラムに従って実行するとして説明するが、全ての機能をプログラム格納メモリに格納する必要はなく、必要に応じて、ネットワークを介して、その一部若しくは全部を受信して実現するようにしてもよい。
【００４２】
図２におけるステップＳ１２２において、ユーザによる操作がメーラー作業指示操作であると判定されると、ステップＳ１２３のメーラー作業処理が開始される。
【００４３】
図３において、まず、メーラーが起動する（ステップＳ２０１）。
メーラーが起動すると、メールボックスの受信フォルダ、送信フォルダ、草稿フォルダのうち、予め設定しておいたデフォルトのメールフォルダが表示される（ステップＳ２０２）。通常は、受信フォルダが表示されるように設定される。なお、操作の都度、ユーザ指示により、表示されるフォルダの選択ができるようにしてもよい。
【００４４】
この状態で、特に図示しないが、ユーザはメールを選択してのメール閲覧作業が可能である。
【００４５】
そして、この状態で、メニュー表示指示がされたか否かを監視している（ステップＳ２０３）。メニュー表示指示とは、通信端末装置１が携帯電話であれば、メニュー表示ボタン等により行われる操作であり、通信端末装置１がＰＣ等で、マウスが使えるものであれば、マウスの右クリック操作等に相当するものである。
【００４６】
メニュー表示指示が行われたと判定されると（Ｓ２０３：ＹＥＳ）、図５（ａ）に示すようなコンテキストメニュー１が表示部に表示される（ステップＳ２０４）。
【００４７】
一方、メニュー表示指示が行われていないと判定されると（Ｓ２０３：ＮＯ）、後述する図４のステップＳ３１０に進む。
【００４８】
このコンテキストメニュー１は、ユーザの操作として、メールを新規作成する操作、選択メールの返信や転送操作、また、検索や設定の操作が選択できることを表している。
ユーザはコンテキストメニュー１の表示の中から所望の操作を選択する。そして、その選択内容がどのような選択であるかの判定処理を行う（ステップＳ２０５〜ステップＳ２０７）。
【００４９】
即ち、ステップＳ２０５において、新規作成作業が選択されたか否かを判定し、新規作成作業が選択されたと判定された場合（Ｓ２０５：ＹＥＳ）、新規メール作成画面が表示される（ステップＳ２０８）。
【００５０】
一方、ステップＳ２０５において、新規作成作業が選択されていないと判定された場合（Ｓ２０５：ＮＯ）、返信メール作業が選択されたか否かを判定する（ステップＳ２０６）。
ステップＳ２０６において、返信メール作業が選択されたと判定された場合（Ｓ２０６：ＹＥＳ）、返信メール作業画面が表示される（ステップＳ２０９）。
【００５１】
一方、ステップＳ２０６において、返信メール作業が選択されていないと判断された場合（Ｓ２０６：ＮＯ）、転送メール作業が選択されたか否かを判定する（ステップＳ２０７）。
ステップＳ２０７において、転送メール作業が選択されたと判定された場合（Ｓ２０６：ＹＥＳ）、転送メール作業画面が表示される（ステップＳ２１０）。
【００５２】
一方、ステップＳ２０７において、転送メール作業が選択されていないと判断された場合（Ｓ２０７：ＮＯ）、その他の処理が選択されたと判定されたことになり、対応するその他の処理が行われる（ステップＳ２１１）。
なお、コンテキストメニュー１に何もしない選択肢を設け、その他の処理で、何も選択せずにコンテキストメニュー１を抜ける処理を含むようにしてもよい。
【００５３】
ステップＳ２０８、ステップＳ２０９、ステップＳ２１０のそれぞれの画面にて、ユーザは対応するメール本文等のタイプ入力処理を行うことができ、後述する図４のステップＳ３０１に進む。
また、ステップＳ２１１の処理の後は、後述する図４のステップＳ３１０に進む。
【００５４】
次に、図４を用いて、図２のステップＳ１２３（メーラー作業処理）の詳細の後半フローを説明する。
図３のステップＳ２０８、ステップＳ２０９、ステップＳ２１０の後、再び、メニュー表示指示がされたか否かを監視している（ステップＳ３０１）。
【００５５】
メニュー表示指示が行われたと判定されると（Ｓ３０１：ＹＥＳ）、図５（ｂ）に示すようなコンテキストメニュー２が表示部に表示される（ステップＳ３０２）。
【００５６】
一方、メニュー表示指示が行われていないと判定されると（Ｓ３０１：ＮＯ）、後述するステップＳ３１０に進む。
【００５７】
このコンテキストメニュー２は、ユーザの操作として、後述するフィールド（グループ）毎コピー＆ペースト処理の操作、文字の選択や貼り付けといった通常の編集系の処理操作、また、メールの送信や保存といった送信・保存系処理操作、及びその他の処理が選択できることを表している。
ユーザはコンテキストメニュー２の表示の中から所望の操作を選択する。そして、その選択内容がどのような選択であるかの判定処理を行う（ステップＳ３０３、ステップＳ３０５、ステップＳ３０７、ステップＳ３０９）。
【００５８】
即ち、ステップＳ３０３において、フィールド（グループ）毎コピー＆ペースト処理の操作が選択されたか否かを判定し、フィールド（グループ）毎コピー＆ペースト処理の操作が選択されたと判定された場合（Ｓ３０３：ＹＥＳ）、フィールド（グループ）毎コピー＆ペースト処理が行われる（ステップＳ３０４）。このフィールド（グループ）毎コピー＆ペースト処理の詳細は後述する。
【００５９】
一方、ステップＳ３０３において、フィールド（グループ）毎コピー＆ペースト処理が選択されていないと判定された場合（Ｓ３０３：ＮＯ）、編集系処理が選択されたか否かを判定する（ステップＳ３０５）。
ステップＳ３０５において、編集系処理が選択されたと判定された場合（Ｓ３０５：ＹＥＳ）、編集系処理画面が表示される（ステップＳ３０６）。ここでの処理としては、アドレス帳からの通常のアドレス選択操作等を含むようにしてもよい。
【００６０】
一方、ステップＳ３０５において、編集系処理が選択されていないと判断された場合（Ｓ３０５：ＮＯ）、送信・保存系処理が選択されたか否かを判定する（ステップＳ３０７）。
ステップＳ３０７において、送信・保存系処理が選択されたと判定された場合（Ｓ３０７：ＹＥＳ）、送信・保存系処理が行われる（ステップＳ３０８）。
【００６１】
一方、ステップＳ３０７において、送信・保存系処理が選択されていないと判定された場合（Ｓ３０７：ＮＯ）、メーラー設定処理等のその他の処理が選択されたと判定され、対応するその他の処理が行われる（ステップＳ３０９）。
なお、コンテキストメニュー２に何もしない選択肢を設け、その他の処理で、何も選択せずにコンテキストメニュー２を抜ける処理を含むようにしてもよい。
【００６２】
ステップＳ３０４、ステップＳ３０６、ステップＳ３０８、ステップＳ３０９の後、ユーザによるメーラーの終了指示がされたか否かを監視し（ステップＳ３１０）、メーラーの終了指示がされたと判定された場合（ステップＳ３１０：ＹＥＳ）、メーラーの終了処理が行われる（ステップＳ３１１）。
【００６３】
一方、メーラーの終了指示がされていないと判定された場合（ステップＳ３１０：ＮＯ）、図３のステップＳ２０３へ戻る。
【００６４】
次に、図６、図７を用いて、フィールド（グループ）毎コピー＆ペースト処理の詳細を説明する。
図６は、図４のステップＳ３０４（フィールド（グループ）毎コピー＆ペースト処理）の詳細フローを示す図である。
図７は、図６のフローで使われるメニューを説明する図で、（ａ）は、対象選択メニューの表示例を示す図、（ｂ）は、コピー元フィールド選択メニューの表示例を示す図である。
【００６５】
図４のステップＳ３０３でフィールド（グループ）毎コピー＆ペースト処理が選択されたと判定されると、図６のステップＳ４０１において、図７（ａ）に示されるような対象選択メニューが表示される。
【００６６】
この対象選択メニューは、コピー元対象となるメールをフォルダから選択するか、利用履歴から選択するかをユーザが選べることを表している。
ユーザはこの対象選択メニューの表示の中から所望のものを選択する。そして、その選択内容がどのような選択であるかの判定処理を行う（ステップＳ４０２、ステップＳ４０５）。
【００６７】
即ち、ステップＳ４０２において、フォルダからの操作（対象選択メニューの１．〜３.に相当）が選択されたか否かを判定し、フォルダからの操作が選択されたと判定された場合（Ｓ４０２：ＹＥＳ）、選択されたフォルダ（送信フォルダ、受信フォルダ、草稿フォルダ）に保存されている既存メール一覧が表示される（ステップＳ４０３）。
【００６８】
ユーザはステップＳ４０３において表示されたメール一覧から、フィールド（グループ）毎コピー＆ペースト処理のコピー元対象となるメールを選択する。
【００６９】
そして、通信端末装置１は、フィールド（グループ）毎コピー＆ペースト処理のコピー元対象となる既存メールが選択されたか否かを判定し（ステップＳ４０４）、フィールド（グループ）毎コピー＆ペースト処理のコピー元対象となる既存メールが選択されたと判定された場合（Ｓ４０４：ＹＥＳ）、ステップＳ４０８に進む。
【００７０】
一方、ステップＳ４０４において、フィールド（グループ）毎コピー＆ペースト処理のコピー元対象となるメールが選択されていないと判定された場合（Ｓ４０４：ＮＯ）、後述のステップＳ４１７に進む。
【００７１】
一方、ステップＳ４０２において、フォルダからの操作が選択されていないと判定された場合（Ｓ４０２：ＮＯ）、フィールド（グループ）毎コピー＆ペースト処理の利用履歴からが選択されたか否かを判定し（ステップＳ４０５）、フィールド（グループ）毎コピー＆ペースト処理の利用履歴からが選択されたと判定された場合（Ｓ４０５：ＹＥＳ）、
ステップＳ４０６、ステップＳ４０７に進む。ステップＳ４０６、ステップＳ４０７の詳細については、後述する。
【００７２】
一方、ステップＳ４０５において、フィールド（グループ）毎コピー＆ペースト処理の利用履歴からが選択されていないと判定された場合（Ｓ４０５：ＮＯ）（対象選択メニュー（図７（ａ）参照）の「＃．  なし」選択に対応）、後述のステップＳ４１７に進む。
【００７３】
次に、ステップＳ４０８以降の処理について説明する。
ここでは、ステップＳ４０４、または、後述されるステップＳ４０７の判定にて、コピー元対象となるメールが選ばれている状態であるから、ステップＳ４０８では、コピー元対象として選択したメールの内容が表示されるようにする。ここで、ユーザは、そのメール内容を確認することができる。
【００７４】
次に、ステップＳ４０９において、再び、メニュー表示指示がされたか否かを監視する。
メニュー表示指示が行われたと判定されると（Ｓ４０９：ＹＥＳ）、図７（ｂ）に示されるようなコピー元フィールド選択メニューが表示部に表示される（ステップＳ４１０）。
【００７５】
一方、メニュー表示指示が行われていないと判定されると（Ｓ４０９：ＮＯ）、後述のステップＳ４１７に進む。
【００７６】
このコピー元フィールド選択メニューには、選択したメール（図３のフローにおいて、表示されている作成対象のメール、ステップＳ２０８〜ステップＳ２１０に対応）にコピーしたいフィールド（グループ）としてどのようなものが選択できるかを表している。
【００７７】
本願において、フィールドとは、メールのヘッダ項目となるメールの宛先（Ｔｏ）、同報先（Ｃｃ）、非通知同報先（Ｂｃｃ）及び送信元（差出人）（Ｆｒｏｍ）や題名（Ｓｕｂｊｅｃｔ）、並びに本文や添付ファイル等を指す術語として用いる。
例えば、ユーザがコピー元フィールド選択メニューの「２．Ｔｏ」を選択すれば、コピー元対象として、宛先のフィールド内に記載された内容が選ばれることになる。
【００７８】
また、フィールドグループとは、各フィールドのグループ（組）を示す術語で、ここでは、フィールドグループの例として、宛先グループ全てが選択できるようになっている。この宛先グループ全てとは、メールの宛先（Ｔｏ）、同報先（Ｃｃ）、非通知同報先（Ｂｃｃ）全てのことである。
【００７９】
ユーザが「１．宛先グループ全て」を選択すれば、コピー元対象として、宛先グループフィールド内に記載された内容全てが選ばれることになる。
【００８０】
このようにすれば、ユーザは個別にフィールドを選択する必要がなく、一括してフィールド（グループ）を選択することもできるので、選択したコピー元フィールド（グループ）に対して、後述するフィールド（グループ）毎コピー＆ペースト処理を一括して、手間なく行うことができる。
【００８１】
また、コピー元フィールド選択メニューでは、「＊．  前回利用時と同じフィールド（グループ）」が選択できるようになっていて、ユーザがこれを選択すると、前回このフィールド（グループ）毎コピー＆ペースト処理を利用した時同じフィールド（グループ）が選択されたとみなされる。
【００８２】
また、「＃．  なし」が選択できるようになっていて、ユーザがこれを選択すると、久次のステップＳ４１１において、フィールド（グループ）毎コピー＆ペースト処理から抜けられるようになっている。
【００８３】
ステップＳ４１１において、コピー元フィールド（グループ）が選択されたか否かを判定し、フォルダからの操作が選択されたと判定された場合（Ｓ４１１：ＹＥＳ）、選択されたコピー元フィールド（グループ）がコピー元フィールド（グループ）として確定される（ステップＳ４１２）。
【００８４】
このようにして、ユーザは、タイプ入力や、注意力が要求されるコピー元選択（コピー範囲指定）を、メニューにしたがって、正確に行うことができる。
【００８５】
ステップＳ４１２の後に、その選択されたフィールド（グループ）がアドレス部か否かを判定する（ステップＳ４１３）。
アドレス部とは、メールの宛先（Ｔｏ）、同報先（Ｃｃ）、非通知同報先（Ｂｃｃ）及び送信元（差出人）（Ｆｒｏｍ）のことを指す。
【００８６】
ここで、フィールド（グループ）がアドレス部であると判定された場合（Ｓ４１３：ＹＥＳ）、アドレス帳関連処理が行われる（ステップＳ４１４）。ステップＳ４１４の詳細については後述する。
【００８７】
一方、ステップＳ４１３において、コピー元フィールド（グループ）がアドレス部でないと判定された場合、選択された既存メールの選択されたフィールドの内容の作成対象（図３のステップＳ２０８〜ステップＳ２１０の各状態でのメール画面表示がされて編集可能な状態）のメールの所望のフィールドへのペースト処理（貼付け処理）が行われ（ステップＳ４１５）、その後、フィールド（グループ）毎コピー＆ペーストの利用履歴記録処理が行われる（ステップＳ４１６）。
ステップＳ４１５、ステップＳ４１６の詳細については後述する。
【００８８】
一方、ステップＳ４１１において、コピー元フィールド（グループ）が選択されていないと判定された場合、後述のステップＳ４１７に進む。
【００８９】
次に、ステップＳ４１７の処理について説明する。
ここでは、別のフィールド（グループ）に対して、フィールド（グループ）毎コピー＆ペースト処理を行わないか否かの指示を待ち、別のフィールド（グループ）に対して処理を行わない場合（Ｓ４１７：ＹＥＳ）、フィールド（グループ）毎コピー＆ペースト処理を抜ける。
【００９０】
一方、別のフィールド（グループ）に対して処理を行う場合（Ｓ４１７：ＮＯ）、ステップＳ４０１に戻り、別のフィールド（グループ）に対して、フィールド（グループ）毎コピー＆ペースト処理ができるようにしている。
【００９１】
次に、図８、図９を用いて、選択された既存メールの選択されたフィールドの内容の作成対象のメールの所望のフィールドへのペースト処理（入力処理）（ステップＳ４１５）の詳細について説明する。
図８は、図６のステップＳ４１５（選択された既存メールの選択されたフィールドの内容の作成対象のメールの所望のフィールドへのペースト処理）の詳細フローを示す図である。
図９は、図８のフローで使われるメニュー表示、メッセージの表示を説明する図で、（ａ）は、ペースト先フィールド選択メニューの表示例を示す図、（ｂ）は、送信元（差出人）フィールド欄にはペーストできないことを報知するメッセージの表示例を示す図、
（ｃ）は、上書き注意喚起メッセージの表示例を示す図、（ｄ）は、ペーストモードメニューの表示例を示す図である。
【００９２】
ペースト処理とは、一般的に、狭義には貼付け処理と解されるが、本願では、後述するように、上書きや、マージ等の入力のさせ方を含む、広義の入力処理全般を指す術語として用いている。
【００９３】
まず、図８では、コピー元対象として選択されたフィールド（グループ）がアドレス部か否かを判定する（ステップＳ５０１）。
ここで、フィールド（グループ）がアドレス部であると判定された場合（Ｓ５０１：ＹＥＳ）、図９（ａ）に示すような、ペースト先フィールド選択メニューが表示部に表示される（ステップＳ５０２）。
【００９４】
コピー元フィールドがアドレス部の場合、作成対象のメールや、既存メールとして、フォルダの選択の仕方により、メールの宛先（Ｔｏ）、同報先（Ｃｃ）、非通知同報先（Ｂｃｃ）及び送信元（差出人）（Ｆｒｏｍ）のアドレスフィールドを別のアドレスのフィールドに入力させたい場合もある。
その際には、所望のフィールドへの入力先を変更できることが望ましく、ユーザはステップＳ５０２で表示されるペースト先フィールド選択メニュー（図９（ａ）参照）からペースト先フィールドを選択できるようにしている。
【００９５】
続いて、図９（ａ）のペースト先フィールド選択メニューにて、において、ペースト先フィールド（グループ）が選択されたか否かを監視する（ステップＳ５０３）。
【００９６】
例えば、図７（ｂ）のコピー元フィールド選択メニューにおいて、コピー元のフィールドとして、メールの宛先（Ｔｏ）フィールドを選んで、図９（ａ）のペースト先フィールド選択メニューにおいて、「２．  Ｂｃｃ」を選んだ場合、コピー元のメールの宛先（Ｔｏ）の内容が、作成対象のメールの所望のフィールドである非通知同報先（Ｂｃｃ）のフィールドにペースト（入力）されることになる。
【００９７】
また、例えば、図７（ｂ）のコピー元フィールド選択メニューにおいて、コピー元のフィールドとして、メールの宛先（Ｔｏ）フィールドを選んで、図９（ａ）のペースト先フィールド選択メニューにおいて、「１．  それぞれのアドレス」あるいは「２．  Ｔｏ」を選んだ場合、コピー元のメールの宛先（Ｔｏ）の内容が、作成対象のメールの対応するメールの宛先（Ｔｏ）のフィールドにペースト（入力）されることになる。
【００９８】
また、例えば、図７（ｂ）のコピー元フィールド選択メニューにおいて、コピー元のフィールドとして、宛先グループ全てを選んで、図９（ａ）のペースト先フィールド選択メニューにおいて、「１．  それぞれのアドレス」を選んだ場合、コピー元の宛先グループのメールの宛先（Ｔｏ）、同報先（Ｃｃ）、非通知同報先（Ｂｃｃ）の内容が、作成対象のメールの対応するメールのそれぞれのアドレスフィールド（メールの宛先（Ｔｏ）、同報先（Ｃｃ）、非通知同報先（Ｂｃｃ））にペースト（入力）されることになる。
【００９９】
このステップＳ５０２で、所定時間内にペースト先フィールド（グループ）が選択されたと判定されると（Ｓ５０３：ＹＥＳ）、後述のステップＳ５０４に進み、一方、所定時間内にペースト先フィールド（グループ）が選択されていないと判定されると（Ｓ５０３：ＮＯ）、ペーストが回避されたとして、選択された既存メールの選択されたフィールドの内容の作成対象のメールの所望のフィールドへのペースト処理（入力処理）を抜ける。
【０１００】
ステップＳ５０４では、ペースト先のフィールドが送信元（差出人）（Ｆｒｏｍ）のアドレスフィールドに対応していないか否かを判定する。
【０１０１】
通常は、図９（ａ）のペースト先フィールド選択メニューにおいて、送信元（差出人）（Ｆｒｏｍ）を直接は選べないようにしているので、ペースト先のフィールドが送信元（差出人）（Ｆｒｏｍ）のアドレスフィールドに対応していないと判定され（Ｓ５０４：ＹＥＳ）、ペースト先フィールドが確定する（ステップＳ５０５）。
【０１０２】
しかし、図７（ｂ）のコピー元フィールド選択メニューにおいて、コピー元のフィールドとして、送信元（差出人）（Ｆｒｏｍ）フィールドが選ばれ、図９（ａ）のペースト先フィールド選択メニューにおいて、「１．  それぞれのアドレス」が選ばれた場合、送信元（差出人）（Ｆｒｏｍ）フィールドへのペーストが指示されることになる。
【０１０３】
この場合に（Ｓ５０４：ＮＯ）、図９（ｂ）に示すようなアラーム表示が行われて、送信元（差出人）（Ｆｒｏｍ）のアドレスフィールドへはペーストできないことを報知するようにしている。
【０１０４】
そして、このペースト不可メッセージ表示後、ステップＳ１０２に戻り、「１．  それぞれのアドレス」以外が選べるようにする。
【０１０５】
このようにすれば、送信元（差出人）（Ｆｒｏｍ）フィールドへ選択されたアドレスフィールドの内容がペーストされるという不具合を防ぎつつ、選択されたアドレスフィールドの内容を別のアドレスのフィールドに入力させることも、手間なく行うことができる。
【０１０６】
一方、ステップＳ５０１において、コピー元フィールドが本文フィールドや添付ファイルフィールドの場合は、基本的にこの選択操作は不要なので、本フローでは、ステップＳ５０２がスキップされるようにしている。
つまり、コピー元フィールドが本文フィールドの場合は、ユーザの選択を待たずに、ペースト先も対応する本文フィールド、コピー元フィールドが添付ファイルフィールドの場合は、ユーザの選択を待たずに、ペースト先も対応する添付ファイルフィールドとし、ユーザの操作を適宜省略できるようにしている。
【０１０７】
このようにすれば、フィールド（グループ）毎コピー＆ペースト処理のペースト先を、ユーザはメニューの選択により、手間なく、確実に指定することができる。
【０１０８】
ステップＳ５０５にて、ペースト先フィールドが確定すると、ペーストしようとする欄（フィールド）に既に入力されている内容があるか否かを判定し（ステップＳ５０７）、コピーしようとする欄（フィールド）に既に入力されている内容があると判定された場合（Ｓ５０７：ＹＥＳ）、図９（ｃ）に示すような上書き注意喚起メッセージ（作成対象のメールの所望のフィールド欄に既に内容が入力されている旨をユーザに報知するメッセージ）が表示され（ステップＳ５０８）、ステップＳ５０９に進む。
【０１０９】
なお、ペーストしようとする欄（フィールド）に既に入力されている内容がある場合とは、ユーザが文字をタイプ入力等の別方法で入力してから、フィールド（グループ）毎コピー＆ペースト処理を行おうとした場合や、草稿フォルダに保存しておいたメールを、読み出して作業する場合等に起こる。
【０１１０】
このようにすれば、既に入力されていた内容をこれから行われるペースト処理により、消されてしまう場合が起こりうることをユーザに教示し、上書きに対する注意を喚起することができる。
その際に、このメッセージとともに、実際に入力されていた内容自体も表示するようにすると更によい。
【０１１１】
一方、ペーストしようとする欄（フィールド）に既に入力されている内容がないと判定された場合（Ｓ５０７：ＮＯ）、上書き注意喚起メッセージが表示せずに、ステップＳ５０８をスキップして、ステップＳ５０９に進む。
【０１１２】
そして、ステップＳ５０９では、図９（ｄ）に示すようなペーストモードメニューが表示される。
【０１１３】
このペーストモードメニューは、選択したフィールド（グループ）をどのように作成対象のメールにペースト（入力）するかのペーストの仕方（ペーストモード、入力モード）を選べることを表している。
ユーザはこのペーストモードメニューの表示の中から所望の操作を選択する。そして、その選択内容がどのような選択であるかの判定処理を行う（ステップＳ５１０、ステップＳ５１２、ステップＳ５１４）。
【０１１４】
即ち、ステップＳ５１０において、上書きペーストが選択されたか否かを判定し、上書きペーストが選択されたと判定された場合（Ｓ５１０：ＹＥＳ）、上書きによるペースト処理が行われる（ステップＳ５１１）。この場合、既に入力されていた内容は破棄されることになる。
【０１１５】
一方、ステップＳ５１０において、上書きペーストが選択されていないと判定された場合（Ｓ５１０：ＮＯ）、マージ１（後ろに足す）が選択されたか否かを判定する（ステップＳ５１２）。
ステップＳ５１２において、マージ１（後ろに足す）が選択されたと判定された場合（Ｓ５１２：ＹＥＳ）、マージ１（後ろに足す）ペースト処理が行われる（ステップＳ５１３）。
【０１１６】
一方、ステップＳ５１２において、マージ１（後ろに足す）が選択されていないと判断された場合（Ｓ５１２：ＮＯ）、マージ２（前に挿入）が選択されたか否かを判定する（ステップＳ５１４）。
ステップＳ５１４において、マージ２（前に挿入）が選択されたと判定された場合（Ｓ５１４：ＹＥＳ）、マージ２（前に挿入）ペースト処理が行われる（ステップＳ５１５）。
【０１１７】
一方、ステップＳ５１４において、マージ２（前に挿入）が選択されていないと判断された場合（Ｓ５１４：ＮＯ）、ペースト処理が回避されたと判定されて（ペーストモードメニュー（図９（ｄ）参照）における＃．の「何もしない  （ペースト回避）」選択に対応）、選択されたフィールドの内容の作成対象のメールの所望のフィールドへのペースト処理（入力処理）を抜ける。
【０１１８】
なお、多少複雑になるが、マージとして後ろに足す、前に挿入以外に、カーソル位置に挿入ペーストできるようなペーストモードを加えてもよい。
【０１１９】
このように、ペーストモードが選べるようにしたので、コピー＆ペースト対象のフィールドが本文である場合は、文脈を容易に調整することができ、コピー＆ペースト対象のフィールドがアドレス部や添付ファイルの場合は、順序（並び方）に意味が有る（持たせたい、調整したい）場合に、容易に順序を指定してペースト（入力）することができる。
また、上書きモードも選べるようにしたので、必要なない内容が既に入力されている場合、ユーザがその内容を消す手間を省くことができる。
【０１２０】
以上のように、ユーザはメニューに従って、所望の操作を選択していくだけで、既存メールを利用して、所望のフィールドに手軽にコピー＆ペースト作業ができるので、タイプ入力や、手動操作によるコピー＆ペースト操作をする必要がなく、容易に、間違いなくメールを作成することができる。
【０１２１】
なお、上記操作を行った後に、通常の編集作業により、各フィールド内の内容を修正してもよい。
【０１２２】
続いて、図１０を用いて、図６のフィールド（グループ）毎コピー＆ペースト処理利用履歴記録処理（ステップＳ４１６）について説明する。
図１０は、利用履歴からフィールド（グループ）毎コピー＆ペースト処理を行う場合を説明する図で、（ａ）は、フィールド（グループ）毎コピー＆ペースト処理の利用履歴の例を示す図、（ｂ）は、利用履歴選択メニューの表示例を示す図である。
【０１２３】
この利用履歴記録処理は、図６におけるステップＳ４１５までの処理を行った際の履歴を、図１０（ａ）のような形で記録する処理で、上記ステップＳ４０６の処理で使える履歴を準備する処理である。
【０１２４】
例えば、２００８年２月２２日に、件名＊＊会議のメールに対して、宛先グループ全てをコピー元対象として作業したことが記録されている。
【０１２５】
そして、この利用履歴を使ってフィールド（グループ）毎コピー＆ペースト処理を行う図６のステップＳ４０６、ステップＳ４０７の処理について説明する。
【０１２６】
フィールド（グループ）毎コピー＆ペースト処理の利用履歴からが選択されたと判定された場合（Ｓ４０５：ＹＥＳ）、ステップＳ４０６において、図１０（ａ）の利用履歴を元に、図１０（ｂ）に示すような利用履歴選択メニューが表示される。
【０１２７】
この表では、最近のものから所定の数だけ表示するようにしているが、検索しやすいように事前の設定やユーザの指示により昇順や降順等に並べ替えられるようになっていることが望ましい。
【０１２８】
ユーザはフィールド（グループ）毎コピー＆ペースト処理の利用履歴の表示の中から所望の履歴対象（フィールド（グループ）毎コピー＆ペースト処理のコピー元対象となるメール）を選択する。
例えば、２００８年２月２２日に、件名＊＊会議のメールに対して、宛先グループ全てをコピー元対象として作業した履歴を選択すると、その作業をおこなったメールが選択されることとなる。
【０１２９】
そして、通信端末装置１は、フィールド（グループ）毎コピー＆ペースト処理の利用履歴の中から、履歴対象が選択されたか否かを判定し（ステップ４０７）、フィールド（グループ）毎コピー＆ペースト処理のコピー元対象となるメールが選択されたと判定された場合（Ｓ４０７：ＹＥＳ）、ステップＳ４０８に進む。
【０１３０】
この場合、その後、ステップＳ４１０で表示されるコピー元フィールド選択メニュー（図７（ｂ）参照）で、「＊．  前回利用時と同じフィールド（グループ）」を選択すると（ステップＳ４１１）、前回フィールド（グループ）毎コピー＆ペースト処理を利用した際のコピー元選択処理を容易に実行することがきる。
【０１３１】
一方、ステップＳ４０７において、フィールド（グループ）毎コピー＆ペースト処理のコピー元対象となるメールが選択されていないと判定された場合（Ｓ４０７：ＮＯ）（利用履歴選択メニュー（図１０（ｂ）参照）の「＃．  選択しない」選択に対応）、後述のステップＳ４１７に進む。
【０１３２】
このように、ユーザは、フィールド（グループ）毎コピー＆ペースト処理の利用履歴を呼び出すことにより、いろいろなフォルダ内の個々のメール探すことなく、所望のコピー元対象メールを呼び出すことができるので、フィールド（グループ）毎コピー＆ペースト処理をしたユーザの記憶を元に既存メールを利用して、作成対象の電子メールの所望のフィールドに手軽にコピー＆ペースト作業ができるようになる。
【０１３３】
次に、図１１、図１２を用いて、アドレス帳関連処理（ステップＳ４１４）について説明する。
図１１は、図６のステップＳ４１４（アドレス帳関連処理）の詳細フローを示す図である。
図１２は、アドレス帳の関連処理を説明するための図で、（ａ）は、選択アドレスｉが単数登録されている場合の登録内容例、（ｂ）は、選択アドレスｉがグループ登録もされている場合の登録内容例、（ｃ）は、グループ登録されているグループの登録内容例、（ｄ）は、アドレス登録メニューの表示例を示す図である。
【０１３４】
図６のステップＳ４１３でコピー元フィールド（グループ）がアドレス部であると判定された場合、図１１のステップ６０１〜の処理において、コピー元対象として選択されたｎ個のアドレス（１〜ｎ）に対して、各アドレスがアドレス帳に登録されているか否かを検索していく。
【０１３５】
具体的には、何番目のアドレスかを表す序数としてｉを用い、選択したアドレスｉ＝１をセットする（ステップＳ６０１）。そして、アドレスｉがアドレス帳内に有るか否かを判定し（ステップＳ６０２）、アドレスｉがアドレス帳内に有ると判定された場合（Ｓ６０２：ＹＥＳ）、選択アドレスｉのアドレス帳の登録内容を対比して図１２（ａ）、図１２（ｂ）に示すように表示する（ステップＳ６０３）。
【０１３６】
例えば、図１２（ａ）では、選択アドレス１の”suzuki@****.co.jp”が、”鈴木課長<suzuki@****.co.jp>”として登録されていることを示している。
また、選択アドレス１の”suzuki@****.co.jp”が”鈴木課長<suzuki@****.co.jp>”以外に、グループとしても登録されている場合、図１２（ｂ）に示すように、”鈴木課長<suzuki@****.co.jp>”＋グループ  ”第１＊＊課”、”第１＊＊課＊＊係”というように登録されていることがわかる。
【０１３７】
図１２（ｃ）は、グループ登録されているグループの登録内容例を示す図で、”第１＊＊課”や”第１＊＊課＊＊係”宛にメールを送信すると、相当するグループに登録されているメンバー全員にメールが送信されるようにグループ登録されていることを示している。
【０１３８】
このようにすれば、ユーザは、ステップＳ６０３において表示されるこのような対比表示を確認しながら、上述したペースト処理を行うことができるので、コピー元対象となるアドレスの詳細を登録内容と比較して確認しながらペースト処理を行えるという利点がある。
例えば、同姓の人を複数アドレス帳に登録している場合に、アルファベットだけのアドレス自体では違いが認識しにくい場合等に、コピー＆ペースト処理の誤りを効果的に防ぐことができる。
【０１３９】
また、ステップＳ６０３の後に、アドレス帳の登録内容を変更できるようにしてもよい（ステップＳ６０４）。
【０１４０】
そして、次のアドレスを検索するために、序数ｉに１を加えて更新し（ステップＳ６０５）、序数ｉ＋１が選択した全てのアドレスｎより大きくなったかを判定し（ステップＳ６０６）、ｎより大きくなるまでステップＳ６０２に戻り、上記処理を繰り返す。
【０１４１】
なお、上記では、対比表示をｉについてのループ内で行うようにしたが、ループが済んでから、一括して表示するようにしてもよい。
【０１４２】
一方、ステップＳ６０２において、アドレスｉがアドレス帳内にないと判定された場合（Ｓ６０２：ＮＯ）、図１２（ｄ）に示すようなアドレス登録メニューが表示される（ステップＳ６０７）。
【０１４３】
このアドレス登録メニューは、アドレスｉをアドレス帳に登録するか否か、また、登録する場合に、個別に登録するか、それとも、個別＋グループとしても登録するかが選べることを表している。
ユーザはこのアドレス登録メニューの表示の中から所望の操作を選択する。
【０１４４】
即ち、その選択内容が登録処理を行う選択であるか否かを判定し（ステップＳ６０８）、登録処理を行う選択がされたと判定された場合（Ｓ６０８：ＹＥＳ）（アドレス登録メニュー（図１２（ｄ）参照）の１．または２．選択に対応）、アドレス帳内への個別登録処理が行われる（ステップＳ６０９）。
【０１４５】
そして、個別＋グループとしても登録するが選択されたか否かを判定し（ステップＳ６１０）、個別＋グループとしても登録するが選択されたと判定された場合（Ｓ６１０：ＹＥＳ）（アドレス登録メニュー（図１２（ｄ）参照）の２．選択に相当）、アドレス帳内へのグループ登録処理が行われる（ステップＳ６１１）。
【０１４６】
一方、ステップＳ６０９において、個別＋グループとしては登録しないが選択されたと判定された場合（Ｓ６０９：ＮＯ）（アドレス登録メニュー（図１２（ｄ）参照）の１．選択に対応）、アドレス帳内へのグループ登録処理は行われず、ステップＳステップＳ６０５に進む。
【０１４７】
同様に、ステップＳ６０８において、登録処理を行わない選択がされたと判定された場合（Ｓ６０８：ＮＯ）（アドレス登録メニュー（図１２（ｄ）参照）の＃．選択に対応）、ステップＳ６０５に進む。
【０１４８】
ステップＳ６０５では、序数ｉに１を加えて更新し、序数ｉ＋１が選択した全てのアドレスｎより大きくなったかを判定し、（ステップＳ６０６）、ｎより大きくなるまでステップＳ６０２に戻り、上記処理を繰り返す。
【０１４９】
このようにすれば、ユーザがアドレス部に対してフィールド（グループ）毎コピー＆ペースト処理を行い、そのアドレスがアドレス帳に登録されていない場合は、メニューに従って、アドレス帳登録が促され、手間なく、アドレス帳登録が行えるようになる。
したがって、次回のメール作成時は、フィールド（グループ）毎コピー＆ペースト処理を利用してのアドレス入力を行う方法以外に、通常のアドレス帳を利用してのアドレス入力（個別入力やグループ入力）が可能になり、ユーザの操作の自由度が増えることになる。
【０１５０】
これまでは、主にフィールド（グループ）毎コピー＆ペースト処理の対象フィールドがアドレス部である場合のコピー＆ペースト処理について述べたが、フィールドが本文である場合についても同様に適用可能である。この場合、ステップＳ４１３がスキップされる。
【０１５１】
ユーザが同じあるいは類似した文章を本文フィールドに入力したい場合、ユーザは本文フィールドを選択して、フィールド（グループ）毎コピー＆ペースト処理を行うことにより、長い文章をタイプ入力することなく、メニューに従って、フォルダから選ばれたメール、あるいは、利用履歴から選ばれたメールを用いて、コピー＆ペースト処理が行えるので、容易にかつ誤りなく行うことができる。
【０１５２】
また、フィールドが添付ファイルである場合についても同様である。この場合も、ステップＳ４１３がスキップされる。
【０１５３】
添付ファイルを選ぶ場合、通常のメーラーでは、ファイルを検索して添付する処理が必要だが、本願によれば、メールフォルダ内から選ばれた既存メールのうちファイル添付が行われて受信されメールまたはファイル添付を行って送信した（しようとした）メール等を用いて、あるいは、利用履歴から選ばれた対応メールを用いて、ファイル添付が可能になるので、処理が容易になる。
【０１５４】
本願の効果をまとめると次のようになる。
ａ）ユーザは既存メールを利用して、容易にかつ誤りなく、コピー＆ペースト機能を用いて、電子メールの作成を行うことができる。
ｂ）ユーザはフィールドを選択する際に、一括してフィールド（グループ）を選択することもできるので、選択したコピー元フィールド（グループ）に対して、フィールド（グループ）毎コピー＆ペースト処理を一括して、手間なく行うことができる。
ｃ）ペースト先のフィールドの選択に対して、コピー元のフィールドに対応するように自動的に選択されるようにもできるので、ユーザは、フィールド（グループ）毎コピー＆ペースト処理を手間なく行うことができる。
ｄ）作成対象の電子メールのフィールド欄に既に内容が入力されている場合、その旨がユーザに報知されるので、ユーザは安心してフィールド（グループ）毎コピー＆ペースト処理を利用することができる。
e）特にアドレス部にメールフォルダ内の既存メールにあるアドレスを入力する際に、ユーザは、カンマ区切り等、神経を使う範囲選択処理を行うことなく、メニューに従って処理を行えるので、容易にかつ誤りなく行うことができる。
ｆ）特にアドレス部にメールフォルダ内の既存メールにあるアドレスを入力する際に、送信元（差出人）（Ｆｒｏｍ）フィールドへ選択されたアドレスフィールドの内容がペーストされるという不具合を防ぎつつ、選択されたアドレスフィールドの内容を別のアドレスのフィールドに入力させることも、手間なく行うことができる。
ｇ）特にアドレス部にメールフォルダ内の既存メールにあるアドレスを入力する際に、ユーザは、アドレス帳に登録されている登録情報を確認しながらコピー&ペースト処理が行えるので、安心して誤りなく、処理を行うことができる。
ｈ）特にアドレス部にメールフォルダ内の既存メールにあるアドレスを入力する際に、フィールド（グループ）毎コピー＆ペースト処理を行った場合、アドレス帳に登録されていないアドレスであれば、登録を促すメニューが表示されるので、ユーザは、対象アドレスをアドレス帳に容易に登録することができ、以後、アドレス帳からアドレス入力を行えるようになる。
ｉ）特に本文にメールフォルダ内の既存メールにある本文と同様の内容を入力する際に、ユーザはタイプ入力等をすることなく、メニューに従ってコピー＆ペースト機能を行えるので、容易にかつ誤りなく行うことができる。
ｊ）特に添付ファイルにメールフォルダ内の既存メールにある添付ファイルと同じものを添付する際に、ユーザはファイル検索等を行うことなく、ファイル添付処理を行えるので、容易にかつ誤りなく行うことができる。
ｋ）フィールド（グループ）毎コピー＆ペースト処理の利用履歴を記録して、利用できるようにしたので、ユーザは、同様の処理を行った記憶を元に、既存メールを呼び出し、コピー＆ペースト処理を容易に行うことができる。
【０１５５】
上記実施形態は一例であり、本発明の適用範囲はこれに限られない。すなわち、種々の応用が可能であり、あらゆる実施の形態が本発明の範囲に含まれる。
【０１５６】
例えば、各種ユーザ選択は選択メニュー等からのキー入力により行われるようにしたが、マウスが使えるような機器であれば、マウスを用いた処理（ドラッグ＆ドロップ処理等）で操作できるようにしてもよいし、音声認識機能を備える機器であれば、音声によって操作できるようにしてもよい。
【０１５７】
また、図６のステップＳ４０６、ステップＳ４０７について説明した利用履歴処理では、図１０（ｂ）に示したようなコピー元対象を表示する利用履歴選択メニューの代わりに、ペースト先の内容を表示し、それを用いて、フィールド（グループ）毎コピー＆ペースト処理が行えるようにしてもよい。
【０１５８】
また、フィールド（グループ）としては、宛先グループ全ての例を示したが、他の組み合わせを一括して選択できるようにしてもよい。
【０１５９】
また、アドレスフィールドの内容を本文フィールドにペーストできるようにしてもよい。
【０１６０】
また、ユーザインターフェース（メニュー構造）はやや複雑になるが、メニューの選択操作により、コピー元として、フィールド内の全体でなく、フィールド内の一部を誤りなく選択してコピーできるようにしてもよい。
【０１６１】
また、上記では、コピー元フィールドを選んでからペースト先のフィールドを選ぶようにしたが、ペースト先のフィールドを選んでからコピー元フィールドを選ぶようにしてもよい。
なお、その場合、コピー元フィールドは、ペースト先のフィールドに対応して自動的に選べるようにしてもよい。
【図面の簡単な説明】
【０１６２】
【図１】本発明の通信端末装置（携帯電話）の主な構成を示すブロック図である。
【図２】通信端末装置の全体の機能の概要を説明するためのフローを示す図である。
【図３】図２のステップＳ１２３（メーラー作業処理）の詳細の前半フローを表す図である。
【図４】図２のステップＳ１２３（メーラー作業処理）の詳細の後半フローを表す図である。
【図５】図３、図４のフローで使われるコンテキストメニューを示す図で、（ａ）は、コンテキストメニュー１の表示例を示す図、（ｂ）は、コンテキストメニュー２の表示例を示す図である。
【図６】図４のステップＳ３０４（フィールド（グループ）毎コピー＆ペースト処理）の詳細フローを示す図である。
【図７】図６のフローで使われるメニューを説明する図で、（ａ）は、対象選択メニューの表示例を示す図、（ｂ）は、コピー元フィールド選択メニューの表示例を示す図である。
【図８】図６のステップＳ４１５（選択された既存メールの選択されたフィールドの内容の作成対象のメールの所望のフィールドへのペースト処理）の詳細フローを示す図である。
【図９】図８のフローで使われるメニュー表示、メッセージの表示を説明する図で、（ａ）は、ペースト先フィールド選択メニューの表示例を示す図、（ｂ）は、送信元（差出人）フィールド欄にはペーストできないことを報知するメッセージの表示例を示す図、（ｃ）は、上書き注意喚起メッセージの表示例を示す図、（ｄ）は、ペーストモードメニューの表示例を示す図である。
【図１０】利用履歴からフィールド（グループ）毎コピー＆ペースト処理を行う場合を説明する図で、（ａ）は、フィールド（グループ）毎コピー＆ペースト処理の利用履歴の例を示す図、（ｂ）は、利用履歴選択メニューの表示例を示す図である。
【図１１】図６のステップＳ４１４（アドレス帳関連処理）の詳細フローを示す図である。
【図１２】アドレス帳の関連処理を説明するための図で、（ａ）は、選択アドレスｉが単数登録されている場合の登録内容例、（ｂ）は、選択アドレスｉがグループ登録もされている場合の登録内容例、（ｃ）は、グループ登録されているグループの登録内容例、（ｄ）は、アドレス登録メニューの表示例を示す図である。
【符号の説明】
【０１６３】
１  通信端末装置
１１  中央制御部
１２  記憶部
１５  表示部
１６  操作部
１２１  メールボックス
１２２  アドレス帳
【図１】
2010009354.tif 000003
【図２】
2010009354.tif 000004
【図３】
2010009354.tif 000005
【図４】
2010009354.tif 000006
【図５】
2010009354.tif 000007
【図６】
2010009354.tif 000008
【図７】
2010009354.tif 000009
【図８】
2010009354.tif 000010
【図９】
2010009354.tif 000011
【図１０】
2010009354.tif 000012
【図１１】
2010009354.tif 000013
【図１２】
2010009354.tif 000014